(57)【特許請求の範囲】
【請求項１】
ディスク挿入口から挿入されたディスクをクランプし、当該クランプされたディスクを回転させるディスク装置において、
前記ディスク装置内部と当該ディスク装置外部との間で空気の循環を行うファンと、
前記ディスク装置内部と当該ディスク装置外部とを連通する連通孔と、
少なくとも前記ファンの回転数を制御するファン制御手段と、
前記ディスク装置内部のゴミの堆積量を取得するゴミ堆積量取得手段と、
を備え、前記ファン制御手段は、前記ゴミ堆積量取得手段により前記ゴミの堆積量が所定堆積量以上であると判断される際に、前記回転数を排出時回転数以上とすることを特徴とするディスク装置。
【請求項２】
前記ファン制御手段は、前記ファンの回転方向を制御し、前記ゴミ堆積量取得手段によりゴミの堆積量が所定堆積量を超えると判断される際に、前記ファンの回転方向を前記ディスク装置外部から当該ディスク装置内部に前記空気が吸気される方向とすることを特徴とする請求項１に記載のディスク装置。
【請求項３】
前記ファン制御手段は、少なくとも前記ディスク挿入口からの前記ディスクの挿入時であるか否かを検出するディスク検出手段を有し、当該ディスク検出手段により、前記ディスクの挿入時であると検出した際に、前記ファンの前記回転方向を前記ディスク装置外部から当該ディスク装置内部に前記空気が吸気される方向とし、前記回転数を排出時回転数以上とすることを特徴とする請求項２に記載のディスク装置。
【請求項４】
前記ディスク挿入口は、前記ディスクの出し入れ時を除き閉口状態であることを特徴とする請求項１〜３のいずれか１つに記載のディスク装置。
【請求項５】
ディスクをディスク装置内外に挿排するディスク挿入口を開閉する開閉手段と、
前記開閉手段による前記ディスク挿入口の開閉状態を検出する開閉検出手段と、
前記ディスク装置内部と当該ディスク装置外部との間で空気の循環を行うファンと、
前記ディスク装置内部と当該ディスク装置外部とを連通する連通孔と、
少なくとも前記ファンの回転数を制御するファン制御手段と、
を備え、前記ファン制御手段は、前記開閉検出手段により前記ディスク挿入口が開口状態であると検出される際に、前記回転数を排出時回転数以上とすることを特徴とするディスク装置。
【発明の詳細な説明】
【技術分野】
【０００１】
本発明は、ディスク装置に関し、さらに詳しくは、ディスク装置内部とディスク装置外部との間で空気の循環を行うファンを備えるディスク装置に関するものである。
【背景技術】
【０００２】
従来、ＤＶＤ（Digital Versatile Disc）やＣＤ（Compact Disc）などのディスクに記録されている情報の再生あるいはこのディスクへの情報の記録の少なくともいずれか一方を行うディスク装置には、例えば特許文献１に示すように、一般的にファンが備えられている。このファンは、ディスク装置内を換気、すなわちディスク装置内部とディスク装置外部との間で空気の循環を行うものである。従って、このファンが作動することで、ディスク装置内部にディスク装置外部の空気が吸気され、ディスク装置内部の温度上昇を抑制することができる。
【０００３】
つまり、従来のディスク装置に備えられたファンは、このディスク装置内部を冷却するためのものであった。ここで、このファンは、その回転方向および回転数をファン制御装置により制御されている。このファン制御装置は、回転方向を一方向に維持したまま、ディスク装置内部を冷却することができる一定回転数あるいはディスク装置内部の温度に応じた回転数となるようにファンを制御していた。
【０００４】
【特許文献１】特開２００４−３９１４０号公報
【発明の開示】
【発明が解決しようとする課題】
【０００５】
ところで、ディスク装置によっては、空気中に砂塵や粉塵などゴミが浮遊している地域で使用される場合がある。このような地域では、ディスク装置外部からディスク装置内部へのゴミの侵入を抑制するため、ディスクをディスク装置内部に挿入するディスク挿入口が開閉式となっている。このディスク挿入口は、ディスクの出し入れ時のみに開口するように構成されている。しかしながら、このような地域では、ディスク自体にゴミなどが付着し易い。従って、ゴミが付着した状態のディスクが開口したディスク挿入口からディスク装置内部に挿入される場合がある。この挿入されたディスクがクランプされ、このクランプされたディスクがディスク装置により回転すると、このディスクに付着していたゴミがディスク装置内部に飛散することとなる。
【０００６】
また、上記ファンにより、ディスク装置内部からディスク装置外部に空気が吸気される場合は、ファン制御装置がディスク装置内部の冷却を行うためにファンを作動させている状態で、ディスクを挿入するためディスク挿入口が開口すると、ディスク装置外部とディスク装置内部との圧力差により、このディスク挿入口からゴミが浮遊している空気がディスク装置内部に導入される虞もある。
【０００７】
これらのように、ディスクのディスク装置内部への挿入を繰り返すことで、ディスク装置内部にゴミが堆積する虞があった。ディスク装置内部にゴミが堆積すると、ディスクに記録されている情報の読み込みあるいはこのディスクへの情報の書き込みを行うピックアップのピックアップレンズにゴミが付着し、汚れる虞があった。ピックアップレンズが汚れることで、ピックアップによる読み込み不良や書き込み不良などが発生する虞があった。これにより、ディスク装置の動作不良が発生する虞があった。
【０００８】
この発明は、上述した課題をその一例として解決するものであって、ディスク装置内部のゴミの堆積による動作不良の発生を抑制することができるディスク装置を提供することを目的とする。
【課題を解決するための手段】
【０００９】
上述した課題を解決し、目的を達成するために、本発明にかかるディスク装置は、ディスク挿入口から挿入されたディスクをクランプし、当該クランプされたディスクを回転させるディスク装置において、前記ディスク装置内部と当該ディスク装置外部との間で空気の循環を行うファンと、前記ディスク装置内部と当該ディスク装置外部とを連通する連通孔と、少なくとも前記ファンの回転数を制御するファン制御手段と、前記ディスク装置内部のゴミの堆積量を取得するゴミ堆積量取得手段と、を備え、前記ファン制御手段は、前記ゴミ堆積量取得手段により前記ゴミの堆積量が所定堆積量以上であると判断される際に、前記回転数を排出時回転数以上とすることを特徴とする。
【００１０】
また、本発明にかかるディスク装置は、ディスク装置内外に挿排するディスク挿入口を開閉する開閉検出手段と、前記開閉手段による前記ディスク挿入口の開閉状態を検出する開閉検出手段と、前記ディスク装置内部と当該ディスク装置外部との間で空気の循環を行うファンと、前記ディスク装置内部と当該ディスク装置外部とを連通する連通孔と、少なくとも前記ファンの回転数を制御するファン制御手段と、を備え、前記ファン制御手段は、前記開閉手段により前記ディスク挿入口が開口状態であると検出される際に、前記回転数を排出時回転数以上とすることを特徴とする。
【発明の効果】
【００１１】
本発明にかかるディスク装置は、ディスク装置内部のゴミの堆積による動作不良の発生を抑制することができるという効果を奏する。
【発明を実施するための最良の形態】
【００１２】
以下、この発明につき図面を参照しつつ詳細に説明する。なお、実施例によりこの発明が限定されるものではない。また、下記実施例における構成要素には、当業者が容易に想定できるもの或いは実質的に同一のものが含まれる。ここで、以下に説明では、ＤＶＤやＣＤなどの光により情報を再生あるいは記録可能なディスクを対象とするディスク装置について説明するが、この発明はこれに限定されるものはなく、磁気ディスク、光磁気ディスクなどの光や磁気などにより情報を再生あるいは記録可能ないずれのディスクを対象とすることができる。また、以下の説明では、ディスク挿入口が形成されている部分のみが車両の室内に露出する車両用のディスク装置について説明する。
【実施例】
【００１３】
図１は、実施例にかかるディスク装置の概略構成例を示す図である。図２は、ファン制御装置の構成例を示す図である。同図に示すように、ディスク装置１は、筐体２内、すなわちディスク装置内部Ａにファン３、ファン制御装置４を含む複数の構成部品が収納されている。ここで、構成部品としては、例えば後述するディスク挿入口２２から挿入されたディスクＤをクランプ位置まで搬送するローディング装置、このローディング装置によりクランプ位置に搬送されたディスクＤをクランプし回転するターンテーブル、ターンテーブルにより回転するディスクＤに記録された情報の読み込みあるいはディスクＤへの情報の書き込みを行うピックアップ５（図２参照）などがある。
【００１４】
筐体２には、ディスク装置外部Ｂである車両の室内Ｂ１に露出する露出部２１にディスク挿入口２２が形成されている。このディスク挿入口２２には、開閉手段である開閉扉２３が設けられている。つまりディスク挿入口２２は、開閉式に構成されている。この開閉扉２３は、ディスク装置内部ＡにディスクＤを挿入する際、あるいはディスク装置内部ＡのディスクＤをディスク装置外部Ｂである室内Ｂ１に搬出する際に開き、ディスク挿入口２２が開口状態となる。つまり、ディスク挿入口２２は、ディスクの出し入れ時に開口し、ディスクＤの出し入れ時を除き閉口状態となる。開閉扉２３の開閉は、例えば、ユーザが露出部２１に配置された開閉時ボタンを押すことで行われ、ディスク挿入口２２がディスクＤの挿入終了時およびディスクの搬出終了時まで開口するようにする。なお、この開閉扉２３には、開閉扉２３の開閉を検出する開閉検出手段である開閉センサが設けられており、この開閉扉２３の開閉状態に基づく開閉信号が後述するファン制御装置４に出力される。
【００１５】
また、この筐体２には、筐体２の内外を連通、すなわちディスク装置内部Ａとディスク装置外部Ｂとを連通する連通孔２４，２５が形成されている。この連通孔２４，２５は、この実施例では、露出部２１と直交する両側面２６，２７の両端部のうちこの露出部２１側の端部近傍に形成されている。ここで、筐体２の両側面２６，２７は、ディスク装置外部Ｂのうち車両の室内Ｂ１以外の空間部Ｂ２に位置するため、連通孔２４，２５は、この車両の室内Ｂ１以外の空間部Ｂ２とディスク装置内部Ａとを連通することとなる。ここで、車両の室内Ｂ１以外の空間部Ｂ２では、室内Ｂ１あるいは図示しない車両外部との空気の循環が少ないため、室内Ｂ１あるいは図示しない車両外部と比較して空気中に砂塵や粉塵などのゴミが浮遊している量は少ないものである。
【００１６】
ファン３は、ディスク装置内部Ａとディスク装置外部Ｂとの間で空気の循環を行うものである。このファン３は、この実施例では、露出部２１と対向する裏面２８に固定されており、この車両の室内Ｂ１以外の空間部Ｂ２とディスク装置内部Ａとの間で空気を通過させることとなる。このファン３は、後述するファン制御装置４から出力された駆動信号により、作動するものである。ここで、このファン３は、上記駆動信号によって、回転数および回転方向を任意に変化させることができる。つまり、ファン３は、このファン３を通過する空気の風量およびこの通過する空気の方向、すなわちディスク装置内部Ａとディスク装置外部Ｂとの間で空気を循環する方向を変化させることができる。例えば、ファン３が回転方向のうち一方向に回転すると、ディスク装置外部Ｂである車両の室内Ｂ１以外の空間部Ｂ２の空気がディスク装置内部Ａに吸気される。一方、ファン３が回転方向のうち他方向に回転すると、ディスク装置内部Ａの空気がディスク装置外部Ｂである車両の室内Ｂ１以外の空間部Ｂ２に排気される。
【００１７】
ディスク制御装置４は、ファン３の回転数、回転方向を制御するものであり、少なくともファン制御手段、ゴミ堆積量取得手段、ディスク検出手段としての機能を備える。このディスク制御装置４には、各種入力信号が入力される。具体的には、ディスクＤに記録された情報をピックアップ５が読み込みことで出力される読み込み信号、図示しない開閉センサにより検出された開閉扉２３の開閉状態に基づく開閉信号、温度センサ６により検出されたディスク装置内部Ａの温度に基づく温度信号などがある。このディスク制御装置４は、これら入力信号および記憶部４３に格納されている各種データなどに基づいて各種出力信号を出力する。具体的には、ファン３の制御、すなわちこのファン３の回転数および回転方向を制御する駆動信号などの出力信号などがある。
【００１８】
また、このディスク制御装置４は、上記入力信号や出力信号の入出力を行う入出力ポート（Ｉ／Ｏ）４１と、処理部４２と、各種データを格納する記憶部４３とにより構成されている。処理部４２は、メモリおよびＣＰＵ（Central Processing Unit）により構成され、少なくともゴミ堆積量取得手段であるゴミ堆積量取得部４４と、ディスク検出手段であるディスク検出部４５と、ファン制御手段であるファン制御部４６とにより構成されている。この処理部４２は、ファン３の制御方法に基づくプログラムをメモリにロードして実行することにより、ファン３の制御方法などを実現させるものであっても良い。また、記憶部４３は、フラッシュメモリ等の不揮発性のメモリ、ＲＯＭ（Read Only Memory）のような読み出しのみが可能な揮発性のメモリあるいはＲＡＭ（Random Access Memory）のような読み書きが可能な揮発性のメモリ、あるいはこれらの組み合わせにより構成することができる。また、この実施例では、ファン３の制御方法をファン制御装置４により実現させるが、これに限定されるものではなく、図示しないターンテーブルの回転制御や、ピックアップ５の駆動制御などを行うディスク制御装置の機能の一部として実現しても良い。
【００１９】
次に、実施例にかかるディスク装置１の制御方法、特にファン３の制御方法について説明する。図３は、実施例にかかるファン制御装置の動作フローを示す図である。図４は、冷却時におけるディスク装置を示す図である。図５は、ディスク挿入時におけるディスク装置を示す図である。なお、この実施例では、このディスク装置１では、ディスク装置内部Ａの冷却を行う際に、ファン制御装置４がファン３の回転方向をディスク装置内部Ａからディスク装置外部Ｂである車両の室内Ｂ１以外の空間部Ｂ２に空気が排気される方向に、回転数を通常回転数で一定に制御する。また、このディスク装置１では、ディスク装置内部Ａのゴミの堆積を抑制する際に、ファン制御装置４がファン３の回転方向をディスク装置外部である車両の室内Ｂ１以外の空間部Ｂ２からディスク装置内部Ａに空気が吸気される方向に、回転数を排出回転数以上に制御する。
【００２０】
ここで、通常回転数とは、ディスク装置内部Ａの冷却を必要とする際に、ファン制御装置４から出力された駆動信号により作動するファン３の回転数をいう。一方、排出回転数とは、少なくとも上記ディスク装置内部Ａを冷却する際の通常回転数を超える回転数である。この排出回転数は、作動したファン３によるディスク装置内部Ａとディスク装置外部Ｂとの間で循環する空気の流れにより、このディスク装置内部Ａの砂塵や粉塵などのゴミが移動することができる回転数である。この排出回転数は、ファン３および連通孔２４，２５の位置や、このファン３と連通孔２４，２５との距離等により変化するものである。
【００２１】
なお、発明者らは、ファン３の通常回転数が８０００ｒｐｍのディスク装置１において、回転数の上昇による変化を試験した。なお、この試験では、１２Ｖ、８０００ｒｐｍで０．０８ｍ3／ｍｉｎのファンを用い、ＪＩＳ規格の粉体砂塵をゴミとして用いた。ファン３の通常回転数が８０００ｒｐｍであると、ディスク装置内部Ａの冷却を行うことができるが、このディスク装置内部Ａのゴミを移動させることは困難であった。また、ファン３の回転数が９８００ｒｐｍであると、１００ｍｍ程度このディスク装置内部Ａのゴミを移動させることができた。また、ファン３の回転数が１２０００ｒｐｍであると、１５０ｍｍ程度このディスク装置内部Ａのゴミを移動させることができた。ここで、車両用のディスク装置１は、車内のスペースが限られているため、その外形寸法がある程度決定されており、ディスク装置内部Ａのゴミを１５０ｍｍ程度移動させることができれば、ディスク装置外部Ｂに排出することができると考えられる。従って、車両用のディスク装置１では、排出回転数を１２０００ｒｐｍ程度とすることが好ましい。
【００２２】
まず、ファン制御装置４の処理部４２のディスク検出部４５は、ディスク挿入口２２からディスク装置内部ＡへのディスクＤの挿入時であるか否かを判断する（ステップＳＴ１）。具体的には、ディスク検出部４５には、図示しない開閉検出手段である開閉センサから出力される開閉扉２３の開閉状態に基づく開閉信号が入力される。このディスク検出部４５は、この開閉信号により開閉扉２３の開閉、すなわちディスク挿入口２２の開口状態であるか否かを判断する。
【００２３】
次に、処理部４２のファン制御部４６は、ディスク検出部４５によりディスク挿入口２２が開口状態であると判断されると、ファン３が作動中であるか否かを判断する（ステップＳＴ２）。つまり、ファン３がディスク装置内部Ａを冷却するために作動しているか否かを判断する。
【００２４】
ここで、ファン制御装置４によるディスク装置１の冷却について説明する。ファン制御部４６には、温度センサ６から出力されるディスク装置内部Ａの温度に基づく温度信号が入力される。ファン制御部４６は、この温度信号により、ディスク装置内部Ａの温度を取得する。ファン制御部４６は、この取得した温度がディスク装置内部Ａの冷却を必要とする冷却温度以上となったか否かを判断し、冷却温度以上となったと判断すると、駆動信号をファン３に出力する。この駆動信号によりファン３は、図５に示すように、その回転方向をディスク装置内部Ａからディスク装置外部Ｂである車両の室内Ｂ１以外の空間部Ｂ２に空気が排気される方向に、通常回転数で一定回転する。つまり、ファン制御装置４は、ディスク装置内部Ａの常温より暖かい空気をファン３から排気する。このとき、ディスク装置内部Ａとディスク装置外部Ｂである車両の室内Ｂ１以外の空間部Ｂ２との間に圧力差が発生するため、連通孔２４，２５から車両の室内Ｂ１以外の空間部Ｂ２の常温の空気が吸気される。これにより、ディスク装置内部Ａには、常温より暖かい空気が排気されるともに、常温の空気が吸気され、ディスク装置１の冷却が行われる。
【００２５】
次に、処理部４２のファン制御部４６は、ファン３がディスク装置１の冷却のために作動中であると判断すると、ファン３の回転方向の反転を決定する（ステップＳＴ３）。つまり、ファン制御部４６は、ディスク装置内部Ａからディスク装置外部Ｂである車両の室内Ｂ１以外の空間部Ｂ２に空気が排気される方向に回転しているファン３をディスク装置外部Ｂである車両の室内Ｂ１以外の空間部Ｂ２からディスク装置内部Ａに空気が吸気される方向に反転させる決定を行う。
【００２６】
次に、処理部４２のファン制御部４６は、上記ファン３の回転方向の反転を決定した後、排出回転数以上でファンを回転させることを決定し、ファン３を作動させる（ステップＳＴ４）。つまり、ファン制御部４６は、ファン３がディスク装置１の冷却のために作動中である場合は、その回転方向を反転させ、かつ回転数を排出回転数以上となる駆動信号をこのファン３に出力する。なお、ファン制御部４６は、上記ファン３がディスク装置１の冷却のために作動していない場合は、回転方向がディスク装置外部Ｂである車両の室内Ｂ１以外の空間部Ｂ２からディスク装置内部Ａに空気が吸気される方向となり、回転数を排出回転数以上となる駆動信号をこのファン３に出力する。
【００２７】
これらの駆動信号によりファン３は、図４に示すように、ディスク装置外部Ｂである車両の室内Ｂ１以外の空間部Ｂ２からディスク装置内部Ａに空気が吸気される方向に、排出回転数以上で回転する。つまり、ファン制御装置４は、ディスクＤの挿入時に、ディスク装置内部Ａへ空気を吸気する。ファン３からディスク装置内部Ａに吸気された空気は、同図のディスク装置内部Ａの矢印に示すように、このディスク装置内部Ａを露出部２１に向かって流れる。この露出部２１に向かって流れる空気は、露出部２１の図示しない裏面に衝突し、大部分が筐体２の両側面２６，２７に形成された連通孔２４，２５からディスク装置外部Ｂである車両の室内Ｂ１以外の空間部Ｂ２に排気される。このとき、ディスクＤに付着している砂塵や粉塵などのゴミは、この露出部２１の図示しない裏面に衝突した空気ともに、連通孔２４，２５を介してディスク装置外部Ｂに排出される。従って、ゴミが付着したディスクＤがディスク装置内部Ａに挿入されても、このディスクＤに付着したゴミを連通孔２４，２５を介してディスク装置外部Ｂに排出することができる。
【００２８】
また、この露出部２１に向かって流れる空気の一部は、ディスク挿入口２２から排出される。従って、ディスク挿入口２２から、ゴミが浮遊している量が車両の室内Ｂ１以外の空間部Ｂ２の空気よりも多い車両の室内Ｂ１の空気がディスク装置内部Ａに吸気されることを抑制することができる。これらにより、ディスク装置内部Ａにゴミが堆積することを抑制することができ、ゴミの堆積によるディスク装置１の動作不良を抑制することができる。
【００２９】
次に、処理部４２のゴミ堆積量取得部４４は、ディスク検出部４５によりディスク挿入口２２が閉口状態であると判断されると、上記ピックアップ５から読み込み信号が出力されているか否かを判断する（ステップＳＴ５）。つまり、ゴミ堆積量取得部４４は、ディスクＤがディスク装置内部Ａに挿入され、図示しないターンテーブルによりクランプされ、クランプされたディスクＤが回転しており、ピックアップ５がこのディスクＤに記憶されている情報を読み込みことで出力される読み込み信号が出力されているか否かを判断する。ここで、処理部４２のゴミ堆積量取得部４４は、ピックアップ５からの読み込み信号が出力されていないと判断すると、上記ステップＳＴ１，ＳＴ５を繰り返す。
【００３０】
次に、処理部４２のゴミ堆積量取得部４４は、ピックアップ５からの読み込み信号が出力されていると判断すると、ピックアップ５から読み込み信号の出力の大きさである信号出力Ｓが所定値Ｓ１以上であるか否かを判断する（ステップＳＴ６）。ディスク装置１のディスク装置内部Ａに砂塵や粉塵などのゴミが堆積すると、ピックアップ５のピックアップレンズにこのゴミが付着する虞がある。ピックアップレンズにゴミが付着すると、ピックアップ５によるディスクＤに記録されている情報の読み込み信号の信号出力Ｓが低下する。つまり、ディスク装置内部Ａのゴミの堆積量は、ピックアップ５による読み込み信号の出力の大きさ、すなわち信号出力Ｓの値に応じたものとなるため、ゴミ堆積量取得部４４は、信号出力Ｓが所定値Ｓ１以上であるか否かの判断をすることにより、ディスク装置内部Ａのゴミの堆積量が所定堆積量以上であるか否かの判断を行う。従って、このゴミ堆積量取得部４４は、ディスク装置内部Ａのゴミの堆積量をピックアップ５による読み込み信号の信号出力Ｓから予測する。ここで、処理部４２のゴミ堆積量取得部４４は、信号出力Ｓが所定値Ｓ１以上であると判断すると、上記ステップＳＴ１，ＳＴ５，ＳＴ６を繰り返す。なお、所定値Ｓ１は、ディスク装置１がディスクＤに記録された情報の再生を行うことが困難、すなわちピックアップ５による読み込み不良が発生する虞がある値以上の大きさの値である。
【００３１】
次に、処理部４２のファン制御部４６は、ゴミ堆積量取得部４４により信号出力Ｓが所定値Ｓ１未満であると判断されると、上述のように、ファン３が作動中であるか否かを判断する（ステップＳＴ２）。つまり、ファン３がディスク装置内部Ａを冷却するために作動しているか否かを判断する。次に、処理部４２のファン制御部４６は、上述のように、ファン３がディスク装置１の冷却のために作動中であると判断すると、ファン３の回転方向の反転を決定する（ステップＳＴ３）。次に、処理部４２のファン制御部４６は、上記ファン３の回転方向の反転を決定した後、排出回転数以上でファンを回転させることを決定し、ファン３を作動させる（ステップＳＴ４）。なお、ファン制御部４６は、上記ファン３がディスク装置１の冷却のために作動していない場合は、回転方向がディスク装置外部Ｂである車両の室内Ｂ１以外の空間部Ｂ２からディスク装置内部Ａに空気が吸気される方向となり、回転数を排出回転数以上となる駆動信号をこのファン３に出力する。
【００３２】
これらの駆動信号によりファン３は、図１に示すように、ディスク装置外部Ｂである車両の室内Ｂ１以外の空間部Ｂ２からディスク装置内部Ａに空気が吸気される方向に、排出回転数以上で回転する。つまり、ファン制御装置４は、ディスクＤの回転時に、ディスク装置内部Ａへ空気を吸気する。ここで、ディスク装置内部Ａに吸気される空気は、車両の室内Ｂ１以外の空間部Ｂ２の空気である。従って、上述のように、室内Ｂ１の空気がディスク装置内部Ａに吸気される場合よりも、吸気された空気に存在するゴミの量が少ないため、ディスク装置内部Ａに堆積するゴミを少なくすることができる。
【００３３】
ファン３からディスク装置内部Ａに吸気された空気は、同図のディスク装置内部Ａの矢印に示すように、回転するディスクＤの上下面や、図示しないターンテーブル、ピックアップ５などを通過しながら、このディスク装置内部Ａを露出部２１に向かって流れる。このとき、これらに付着したゴミは、この空気の流れにより、これらから離脱し、露出部２１に向かって移動する。
【００３４】
この露出部２１に向かって流れる空気は、露出部２１の図示しない裏面に衝突し、筐体２の両側面２６，２７に形成された連通孔２４，２５からディスク装置外部Ｂである車両の室内Ｂ１以外の空間部Ｂ２に排気される。このとき、この露出部２１に向かって流れる空気とともに、この露出部２１に向かって移動したゴミは、この露出部２１の図示しない裏面に衝突した空気ともに、連通孔２４，２５を介してディスク装置外部Ｂに排出される。従って、ディスク装置内部Ａにゴミが堆積しても、連通孔２４，２５を介してディスク装置外部Ｂに排出することができる。つまり、ディスク装置内部Ａに堆積したゴミをディスク装置外部Ｂに排出することができるので、ゴミの堆積による動作不良の発生を抑制することができる。
【００３５】
ここで、ゴミ堆積量取得部４４がピックアップ５からの読み込み信号が出力されていると判断している場合は、ディスク挿入口２２からディスク装置内部ＡへのディスクＤの挿入時ではないため、開閉扉２３は閉じられており、ディスク挿入口２２は閉口状態である。従って、この露出部２１に向かって流れる空気の一部が露出部２１に向かって移動したゴミの一部とともにディスク挿入口２２からディスク装置外部Ｂである室内Ｂ１に放出されることを抑制することができる。これにより、室内Ｂ１をディスク装置内部Ａに堆積したゴミにより汚染することを抑制することができる。
【００３６】
なお、上記実施例では、ゴミ堆積量取得部４４は、ピックアップの読み込み信号の信号出力Ｓによりゴミの堆積量を予測するが、これに限定されるものではない。例えば、実際のディスク装置内部Ａのゴミの堆積量を測定する堆積量測定センサを設け、この堆積量測定センサにより測定されたゴミの堆積量が所定堆積量以上である否かを判断しても良い。また、ゴミ堆積量取得部４４は、ファン制御装置４に設けられたカウンタ部によりカウントされたファン３の作動回数あるいはディスク装置１の作動回数（ターンテーブルの駆動回数）が、所定回数に達したか否かを判断しても良い。つまり、ファン制御装置４は、所定時間間隔ごとにファン３を排出回転数以上に制御しても良い。
【００３７】
また、上記実施例では、ファン制御部４６は、ディスク装置内部Ａに堆積したゴミをディスク装置外部Ｂに排出する際のファン３の回転方向をこのファン３がディスク装置内部Ａに空気を吸気する方向とするが、これに限定されるものではなく、ディスク装置１の冷却時におけるファン３の回転方向と同一方向、すなわちファン３がディスク装置内部Ａの空気を排気する方向としても良い。この場合、処理部４２のファン制御部４６によりファン３がディスク装置１の冷却のために作動中であると判断された場合、このファン制御部４６はファン３の回転方向の反転を決定せず、排出回転数以上でファンを回転させることを決定し、ファン３を作動させる。つまり、ファン制御部４６は、上記ファン３がディスク装置１の冷却のために作動している場合は、回転方向を反転させず、回転数を通常回転数から排出回転数以上に増加させる駆動信号をこのファン３に出力する。
【００３８】
以上のように、この実施例によれば、ディスク挿入口２２から挿入されたディスクＤをクランプし、クランプされたディスクＤを回転させるディスク装置１において、ディスク装置内部Ａとディスク装置外部Ｂとの間で空気の循環を行うファン３と、ディスク装置内部Ａとディスク装置外部Ｂとを連通する連通孔２４，２５と、少なくともファン３の回転数を制御するファン制御部４６と、ディスク装置内部Ａのゴミの堆積量を取得するゴミ堆積量取得部４４とを備え、ファン制御部４６は、ゴミ堆積量取得部４４によりゴミの堆積量が所定堆積量以上、すなわち信号出力Ｓが所定値Ｓ１以上であると判断される際に、回転数を排出時回転数以上に制御する。従って、ディスク装置内部Ａに堆積したゴミは、ファン３によるディスク装置内部Ａの空気の流れとともに移動し、ファン３の回転方向がディスク装置内部Ａの空気を排気する方向である場合はファン３を介して、及びファン３の回転方向がディスク装置内部Ａに空気を吸気する方向である場合は連通孔２４，２５を介して、ディスク装置外部Ｂに排出することができる。これにより、ディスク装置内部Ａに堆積したゴミをディスク装置外部Ｂに排出することができるので、ゴミの堆積による動作不良の発生を抑制することができる。
【００３９】
また、ファン３の回転数が排出回転数以上である場合も、通常回転数の場合と同様に、ディスク装置内部Ａの冷却を行うことができる。
【００４０】
また、この実施例によれば、ディスクＤをディスク装置内外に挿排するディスク挿入口２２を開閉する開閉扉２３と、開閉扉２３によるディスク挿入口２２の開閉状態を検出する図示しない開閉センサと、ディスク装置内部Ａとディスク装置外部Ｂとの間で空気の循環を行うファン３と、ディスク装置内部Ａとディスク装置外部Ｂとを連通する連通孔２４，２５と、少なくともファン３の回転数を制御するファン制御部４６を備え、ファン制御部４６は、開閉センサによりディスク挿入口２２が開口状態であると検出される際に、回転数を排出時回転数以上に制御する。従って、ディスクＤに付着している砂塵や粉塵などのゴミは、ファン３によるディスク装置内部Ａの空気の流れによりディスクＤから離れ、ファン３の回転方向がディスク装置内部Ａの空気を排気する方向である場合はファン３を介して、及びファン３の回転方向がディスク装置内部Ａに空気を吸気する方向である場合は連通孔２４，２５を介して、ディスク装置外部Ｂに排出することができる。これにより、ゴミが付着したディスクＤがディスク装置内部Ａに挿入されても、このディスクＤに付着したゴミをディスク装置外部Ｂに排出することができる。
【産業上の利用可能性】
【００４１】
以上のように、本発明にかかるディスク装置は、ディスク装置内部とディスク装置外部との間で空気の循環を行うファンを備えるディスク装置に有用であり、特に、ディスク装置内部のゴミの堆積による動作不良の発生を抑制するのに適している。
【図面の簡単な説明】
【００４２】
【図１】図１は、実施例にかかるディスク装置の概略構成例を示す図である。
【図２】図２は、ファン制御装置の構成例を示す図である。
【図３】図３は、ファン制御装置の動作フローを示す図である。
【図４】図４は、冷却時におけるディスク装置を示す図である。
【図５】図５は、ディスク挿入時におけるディスク装置を示す図である。
【符号の説明】
【００４３】
１  ディスク装置
２  筐体
２１  露出部
２２  ディスク挿入口
２３  開閉扉
２４，２５  連通孔
２６，２７  側面
２８  裏面
３  ファン
４  ファン制御装置
４１  入出力ポート
４２  処理部
４３  記憶部
４４  ゴミ堆積量取得部（ゴミ堆積量取得手段）
４５  ディスク検出部（ディスク検出手段）
４６  ファン制御部（ファン制御手段）
５  ピックアップ
６  温度センサ
Ａ  ディスク装置内部
Ｂ  ディスク装置外部
【図１】
0004619406.tif 000002
【図２】
0004619406.tif 000003
【図３】
0004619406.tif 000004
【図４】
0004619406.tif 000005
【図５】
0004619406.tif 000006